(57)【特許請求の範囲】
【請求項１】
電気機器に対して電力を供給する複数の電池モジュール（１１１）と、
複数の前記電池モジュール（１１１）に接続されて、複数の前記電池モジュール（１１１）が正規品であるか否かの監視を行う監視部（１２０）とを備え、車両に搭載される電池認証装置において、
前記監視部（１２０）は、それぞれの前記電池モジュール（１１１）を識別するための識別情報を予め保有しており、複数の前記電池モジュール（１１１）が正規品として前記監視部（１２０）に接続された初期段階に、前記電池モジュール（１１１）との接続状態を確認した後に、それぞれの前記電池モジュール（１１１）に対してユニークな前記識別情報を付与し、
それ以降、前記車両のイグニッションスイッチがオンされたとき、あるいは複数の前記電池モジュール（１１１）に対する充電要求があるときに、予め保有する前記識別情報と付与した前記識別情報とを照合することで、複数の前記電池モジュール（１１１）に対して正規品であるか否かの監視を行うと共に、
少なくとも１つの前記電池モジュール（１１１）が正規品でないと判定すると、使用者に対する警告を行うことを特徴とする電池認証装置。
【請求項２】
前記監視部（１２０）は、前記初期段階に、それぞれの前記電池モジュール（１１１）に対して前記識別情報を、１つずつ順に付与することを特徴とする請求項１に記載の電池認証装置。
【請求項３】
前記識別情報は、前記車両を特定する車両情報を含むことを特徴とする請求項１または請求項２に記載の電池認証装置。
【請求項４】
前記監視部（１２０）は、複数の前記電池モジュール（１１１）に対する前記監視を行うときに、少なくとも１つの前記電池モジュール（１１１）が正規品でないと判定すると、前記電気機器に対する電力供給を禁止することを特徴とする請求項１〜請求項３のいずれか１つに記載の電池認証装置。
【請求項５】
車両に搭載される電気機器に対して電力を供給する複数の電池モジュール（１１１）が、正規品であるか否かの監視を行う電池認証方法において、
予めそれぞれの前記電池モジュール（１１１）を識別するための識別情報を保有しておき、
複数の前記電池モジュール（１１１）が正規品として準備された初期段階に、前記電池モジュール（１１１）との接続状態を確認した後に、それぞれの前記電池モジュール（１１１）に対してユニークな前記識別情報を付与し、
それ以降、前記車両のイグニッションスイッチがオンされたときに、あるいは複数の前記電池モジュール（１１１）に対する充電要求があるときに、予め保有する前記識別情報と付与した前記識別情報とを照合することで、複数の前記電池モジュール（１１１）に対して正規品であるか否かの監視を行うと共に、
少なくとも１つの前記電池モジュール（１１１）が正規品でないと判定すると、使用者に対する警告を行うことを特徴とする電池認証方法。
【請求項６】
前記初期段階に、それぞれの前記電池モジュール（１１１）に対して前記識別情報を、１つずつ順に付与することを特徴とする請求項５に記載の電池認証方法。
【請求項７】
前記識別情報に、前記車両を特定する車両情報を含むようにしたことを特徴とする請求項５または請求項６に記載の電池認証方法。
【請求項８】
複数の前記電池モジュール（１１１）に対する前記監視を行うときに、少なくとも１つの前記電池モジュール（１１１）が正規品でないと判定されると、前記電気機器に対する電力供給を禁止することを特徴とする請求項５〜請求項７のいずれか１つに記載の電池認証方法。
【発明の詳細な説明】
【技術分野】
【０００１】
本発明は、例えば電気自動車やハイブリッド自動車に搭載される電池パック内の電池モジュールが正規品であるか否かを認証する電池認証装置および電池認証方法に関するものである。
【背景技術】
【０００２】
従来の電池パックの認証技術として、例えば特許文献１に示されるように、電池パック内の電池モジュール（電池セル）から供給される電力によって動作可能となる電子機器において、電池モジュールが正規のものか否かを判断した後に、電池パックの充電を行うようにしたものが知られている。
【０００３】
即ち、特許文献１では、電池パックには、電圧源となる１つの電池モジュールと、この電池モジュールを特定するための識別子を予め保持するパック側認証部とが設けられている。また、電子機器には、正規の電池モジュールを示す識別子を予め保持する認証情報処理部が設けられている。そして、認証情報処理部は、パック側認証部から受付けた識別子と、認証情報処理部が保持している識別子とが一致しているか否かを判断し、両識別子が一致していると、電池モジュールが正規の電池モジュールであると判断し、電池パックの充電を行うようにしている。
【先行技術文献】
【特許文献】
【０００４】
【特許文献１】特開２００６−３３９０７０号公報
【発明の概要】
【発明が解決しようとする課題】
【０００５】
しかしながら、上記特許文献１では、電池パックにおいては１つの電池モジュールが設けられるものとなっており、電池パックが複数の電池モジュールから形成される場合では、複数の電池モジュールのうち、いずれのものが非正規であるかを特定することが困難となる。即ち、特許文献１の技術を用いて、電池パックにおける複数の電池モジュールに対して正規品か否かの判断を行うためには、複数の電池モジュールのそれぞれに対して予め識別子を設けると共に、各電池モジュールに対応する認証情報処理部を設ける必要が発生する。このような対応をすると、電池モジュールの単体状態において、互いに識別子の異なるものを複数準備する必要があり、電池モジュールの生産およびそれに係る識別管理等が極めて煩雑になると共に、認証情報処理部も複数の電池モジュールに合わせて増設する必要がある。
【０００６】
本発明の目的は、上記問題に鑑み、複数の電池モジュールから成る電池パックにおいて、単体状態での各電池モジュールに予め識別子を持たせることなく、電池モジュールの正規品、非正規品の判別を可能とする電池認証装置および電池認証方法を提供することにある。
【課題を解決するための手段】
【０００７】
本発明は上記目的を達成するために、以下の技術的手段を採用する。
【０００８】
請求項１に記載の発明では、電気機器に対して電力を供給する複数の電池モジュール（１１１）と、
複数の電池モジュール（１１１）に接続されて、複数の電池モジュール（１１１）が正規品であるか否かの監視を行う監視部（１２０）とを備え、車両に搭載される電池認証装置において、
監視部（１２０）は、それぞれの電池モジュール（１１１）を識別するための識別情報を予め保有しており、複数の電池モジュール（１１１）が正規品として監視部（１２０）に接続された初期段階に、電池モジュール（１１１）との接続状態を確認した後に、それぞれの電池モジュール（１１１）に対してユニークな識別情報を付与し、それ以降、車両のイグニッションスイッチがオンされたとき、あるいは複数の電池モジュール（１１１）に対する充電要求があるときに、予め保有する識別情報と付与した識別情報とを照合することで、複数の電池モジュール（１１１）に対して正規品であるか否かの監視を行うと共に、少なくとも１つの電池モジュール（１１１）が正規品でないと判定すると、使用者に対する警告を行うことを特徴としている。
【０００９】
この発明によれば、複数の電池モジュール（１１１）が正規品として監視部（１２０）に接続された初期段階に、監視部（１２０）によって電池モジュール（１１１）との接続状態が確認され、ユニークな識別情報がそれぞれの電池モジュール（１１１）に付与されるようにしているので、単体状態におけるそれぞれの電池モジュール（１１１）に対して識別情報を予め持たせる必要がない。つまり、電池モジュール（１１１）については、単体状態において識別情報を持たない１種類の電池モジュール（１１１）を複数準備すれば良いことになる。よって、ユニークな識別情報を予め各電池モジュール（１１１）に持たせる場合では、互いに識別情報の異なる電池モジュール（１１１）を複数設定する必要が生じ、識別管理が極めて煩雑となるが、請求項１に記載の発明ではそのような煩雑さを解消することができる。
【００１０】
そして、複数の電池モジュール（１１１）が正規品として監視部（１２０）と接続された初期段階に、監視部（１２０）によって電池モジュール（１１１）との接続状態が確認され、ユニークな識別情報がそれぞれの電池モジュール（１１１）に付与される。識別情報が付与された後に、監視部（１２０）は予め保有している識別情報と各電池モジュール（１１１）に付与した識別情報とを照合することによって、複数の電池モジュール（１１１）が正規品であるか否かを監視することが可能となる。
【００１１】
例えば、監視部（１２０）は、予め保有する識別情報と各電池モジュール（１１１）に付与した識別情報とを照合して両者が一致すれば、その電池モジュール（１１１）は正規品であると判定できる。また、初期段階以降に、仮に使用者によって少なくとも１つの電池モジュール（１１１）が交換された場合に、交換された電池モジュールは、監視部（１２０）から付与される識別情報を持たないものとなるため、予め保有する識別情報との照合が不可能となり、監視部（１２０）は交換された電池モジュールが正規品でないことを発見することができる。
また、例えば、複数の電池モジュール（１１１）によって電気機器が作動される状況に無い場合、あるいは複数の電池モジュール（１１１）が充電される状況にない場合には、電池モジュール（１１１）自身の作動を伴わないことから、実用上は電池モジュール（１１１）が正規品か否かを監視する必要性は低いことになる。つまり、車両のイグニッションスイッチがオンされたとき、あるいは複数の電池モジュール（１１１）に対する充電要求があるときに、複数の電池モジュール（１１１）に対する監視を行うことで、必要最小限の監視にとどめて、実用上の不都合が発生しないようにすることができる。
また、電池モジュール（１１１）が正規品でないと判定すると、使用者に対する警告を行うことによって、使用者に対して、電池モジュール（１１１）が正規品でないことを即座に認識させることができ、正規品への交換を促すことができる。
【００１２】
請求項２に記載の発明では、監視部（１２０）は、初期段階に、それぞれの電池モジュール（１１１）に対して識別情報を、１つずつ順に付与することを特徴としている。
【００１３】
この発明によれば、それぞれの電池モジュール（１１１）に１つずつ順にユニークな識別情報を付与させることで、対象とする電池モジュール（１１１）と与えるべき識別情報とを１対１で対応させることができ、各電池モジュール（１１１）に対する確実な識別情報の付与が可能となる。
【００１４】
請求項３に記載の発明では、識別情報は、車両を特定する車両情報を含むことを特徴としている。
【００１５】
仮に、初期段階の後に、異なる車両間で少なくとも１つの電池モジュール（１１１）が交換された場合であると、交換された後の識別情報が同一となる可能性もあり、電池モジュール（１１１）が交換されたにもかかわらず、正しい識別ができなくなる可能性がある。しかしながら、請求項３に記載の発明によれば、識別情報に車両情報を含むようにしているので、上記のような異なる車両間での電池モジュール（１１１）の交換があったとしても、車両情報によって正しい識別が可能となる。
【００１８】
請求項４に記載の発明では、監視部（１２０）は、複数の電池モジュール（１１１）に対する監視を行うときに、少なくとも１つの電池モジュール（１１１）が正規品でないと判定すると、電気機器に対する電力供給を禁止することを特徴としている。
【００１９】
この発明によれば、監視部（１２０）によって少なくとも１つの電池モジュール（１１１）が正規品でないと判定されると、非正規品は、本来の正規品の品質を確保できない可能性があり、また、他の正規品への悪影響を及ぼす可能性があるため、電池モジュール（１１１）による電気機器への電力供給を禁止することで、電池モジュール（１１１）および電気機器の不具合の発生を防止することができる。
【００２２】
請求項５〜請求項８に記載の発明は、電池認証方法に関するものであり、その技術的意義は上記請求項１〜請求項４に記載の電池認証装置と本質的に同じである。
【００２３】
尚、上記各手段の括弧内の符号は、後述する実施形態記載の具体的手段との対応関係を示すものである。
【図面の簡単な説明】
【００２４】
【図１】第１実施形態における電池認証装置を示す模式図である。
【図２】各電池モジュールに対してＩＤ登録をする際の制御要領を示すフローチャートである。
【図３】監視ユニットが行う電池モジュールの監視要領を示すフローチャートである。
【発明を実施するための形態】
【００２５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００２６】
（第１実施形態）
第１実施形態の電池認証装置１００について、以下、図１を用いて説明する。図１は電池認証装置１００を示す模式図である。電池認証装置１００は、電池パック１１０と監視ユニット１２０とを備えている。電池認証装置１００は、例えば、ハイブリッド自動車や電気自動車に搭載されて使用される。
【００２７】
電池パック１１０は、例えば、上記ハイブリッド自動車や電気自動車における電気機器としての走行用モータに電力を供給する電池であり、複数の電池モジュール１１１が電気的に直列に接続されて形成されている。各電池モジュール１１１は、更に電池セル１１１ａと記憶部１１１ｂとを備えている。電池セル１１１ａと記憶部１１１ｂは、例えば電池ケース１１１ｃに収容されて、電池モジュール１１１を形成している。
【００２８】
電池セル１１１ａは、金属あるいはラミネートフィルム等から形成される容器内に、プラス側電極部とマイナス側電極部とが電解質と共に収容されて形成された電池であり、例えばリチウムイオン二次電池、ニッケル水素二次電池、有機ラジカル電池等が使用される。電池セル１１１ａは、１つの電池モジュール１１１に対して、１つあるいは複数設けられている。
【００２９】
記憶部１１１ｂは、各電池モジュール１１１に対して１つずつ設けられ、後述する監視ユニット１２０から付与される識別情報（ユニークＩＤ）および車両情報を記憶するようになっている。
【００３０】
監視ユニット１２０は、各電池モジュール１１１が正規品であるか否かを監視する監視部であり、通信線１３０によって、各電池モジュール１１１の記憶部１１１ｂと接続されている。監視ユニット１２０は、通信線１３０によって、各電池モジュール１１１（記憶部１１１ｂ）との通信が可能となっている。
【００３１】
ここで、各電池モジュール１１１が正規品であるという意味は、例えば、その電池モジュール１１１が、車両の製造者と電池の製造者との両方によって、その車両への使用に適したものとして指定された純正品であることを意味することがある。あるいは、その電池モジュール１１１が、保障期間、使用回数制限内にあって機能的に有効な有効品であることを意味することがある。あるいは、その電池モジュール１１１が、正規の流通経路を経て入手され、正規の手順を経て車両に装着される正規入手品であることを意味することがある。よって、正規品とは、上記純正品と、有効品と、正規入手品との少なくともひとつ、または２つ以上の条件を満たしたものを意味する上位概念として使用される。
【００３２】
監視ユニット１２０は、各電池モジュール１１１に対応するユニークな識別情報を複数予め保有している。複数のユニークな識別情報は、各電池モジュール１１１を識別するための例えば、ユニークＩＤ（例えば、ＩＤ１、ＩＤ２、ＩＤ３・・・等）であり、電池モジュール１１１の設定される設定数に等しい種類を有するユニークＩＤとして準備されている。また、監視ユニット１２０は、車両における各種機器を制御する車両ＥＣＵ２００と接続されており、監視ユニット１２０は、車両ＥＣＵ２００を介してその車両の車両情報Ｘを得ることができるようになっている。車両情報Ｘは、例えば、その車両におけるキーの認証情報、車両の型式、車両完成年月等の情報である。
【００３３】
次に、上記構成に基づく電池認証装置１００（監視ユニット１２０）の作動について、図２、図３を加えて説明する。監視ユニット１２０は、各電池モジュール１１１に対する、ＩＤ登録と、各電池モジュール１１１が正規品であるか否の監視を行う。
【００３４】
まず、監視ユニット１２０が行うＩＤ登録について図２を用いて説明する。このＩＤ登録は、車両製造メーカにおいて車両に電池パック１１０（電池モジュール１１１）と監視ユニット１２０とが組付けされた後に実施される。即ち、車両の組立てラインにおいては、電池パック１１０として、電池メーカから納入された純正（本発明の正規品に対応）の電池パック１１０が、監視ユニット１２０と共に車両に搭載され、電池パック１１０と監視ユニット１２０とが接続される。この段階は、本発明の初期段階に対応する。
【００３５】
そして、上記のように正規品の電池パック１１０と監視ユニット１２０とが組付けされた後に、例えば、車両組立てラインの完成チェック工程において、イグニッションスイッチが投入されると、監視ユニット１２０は、各電池モジュール１１１との間で通信を行い、各電池モジュール１１１が正しく監視ユニット１２０自身に接続されたか否かの接続状態を確認する。そして、監視ユニット１２０によって、図２に示すように、ＩＤ登録が実行される。即ち、監視ユニット１２０は、ステップＳ１００で、監視ユニット１２０と各電池モジュール１１１との間の通信許可を禁止し、一旦通信状態を切断する。そして、ステップＳ１１０で、上記通信を許可し、ステップＳ１２０で、ｎ値を１と設定する。
【００３６】
次に、ステップＳ１３０で、監視ユニット１２０が予め保有するｎ番目（１番目）のユニークＩＤｎ（ＩＤ１）を通信できるようにセットする。そして、ステップＳ１４０で、ｎ番目（１番目）の電池モジュール１１１に対する通信を許可する。そして、ステップＳ１５０でｎ番目（１番目）の電池モジュール１１１の記憶部１１１ｂに、ｎ番目（１番目）のユニークＩＤｎ（ＩＤ１）を付与する（図１中、監視ユニット１２０から１つめの電池パック１１１に向かう破線矢印）。このとき、監視部１２０は、ユニークＩＤｎの付与に併せて車両情報Ｘも記憶部１１１ｂに付与する。すると、記憶部１１１ｂは、付与されたユニークＩＤｎおよび車両情報Ｘを記憶する。
【００３７】
次に、ステップＳ１６０で、ｎ値が電池モジュール１１１の設定数になったか否かを判定し、否と判定するとステッＳ１７０で、ｎ値に１を加えて新しいｎ値に置き換え、再び、ステップＳ１３０、Ｓ１４０、Ｓ１５０、Ｓ１６０を実行する。２回目においては、ｎは２となり、監視ユニット１２０は、２番目の電池モジュール１１１の記憶部１１１ｂに２番目のユニークＩＤ２、および車両情報Ｘを付与する（図１中、監視ユニット１２０から２つめの電池パック１１１に向かう破線矢印）。２番目の記憶部１１１ｂは、ユニークＩＤ２および車両情報Ｘを記憶する。以下、監視ユニット１２０は、ｎ値が電池モジュール１１１の設定数になるまで、ステップＳ１７０、Ｓ１３０、Ｓ１４０、Ｓ１５０、Ｓ１６０を繰り返し、各電池モジュール１１１の記憶部１１１ｂに対して１つずつ順番にユニークＩＤｎと車両情報Ｘを記憶させていく。
【００３８】
そして、電池認証装置１００において上記のようにユニークＩＤと車両情報Ｘとが各記憶部１１１ｂに記憶された後に、使用者によって市場にて車両が使用されると、監視ユニット１２０は、図３に示すように、各電池モジュール１１１の監視を行う。
【００３９】
即ち、ステップＳ２００で、監視ユニット１２０は、車両のイグニッションスイッチがオンされたか否か、あるは電池パック１１０に対する充電要求があるか否かを判定し、肯定判定すると、ステップＳ２１０で、各電池モジュール１１１のユニークＩＤと車両情報Ｘを照合する。具体的には、監視ユニット１２０が予め保有している各電池モジュール１１１に対応するユニークＩＤと、車両ＥＣＵ２００から得た車両情報Ｘとに対して、各電池モジュール１１１に付与したユニークＩＤと車両情報Ｘとを電池モジュール１１１毎に照合する。
【００４０】
そして、ステップＳ２２０で、監視ユニット１２０が保有するユニークＩＤおよび車両情報Ｘと、付与したユニークＩＤおよび車両情報Ｘとの間において、不一致となるものがあるか判定する。ここで不一致のものがあると監視ユニット１２０は、ステップＳ２３０で、使用者への警告を行う。警告は、例えば、車両のスピードメータを備える表示部へその旨を示すランプを点灯させる、あるいは、車両の運転状況、各種機器の作動状況を示すモニター部に異常表示を示す、あるいは、異常を示すブザーや音声を発生することで行われる。
【００４１】
上記ステップＳ２２０の照合においてユニークＩＤおよび車両情報Ｘが不一致となる理由としては、例えば、使用者が車両を使用するなかで、電池モジュール１１１に何らかの不都合があったときに、この電池モジュール１１１が、使用者自身によって、あるいは純正品を扱わない整備工場において、非正規品の電池モジュールに交換されてしまった場合が挙げられる。予めユニークＩＤおよび車両情報Ｘが付与された正規の電池モジュール１１１が使用されるなかで非正規品の電池モジュールに交換されると、交換された非正規品の電池モジュールには初期段階におけるユニークＩＤおよび車両情報Ｘの付与が当然なされていないので、ステップＳ２２０の照合時に「不一致」として検出されることになるのである。電池モジュール１１１において非正規品が発見されて警告が出されると、使用者は、例えば車両の販売店に赴き、正規品の電池モジュール１１１に交換してもらうようにする。電池モジュール１１１が正規品に交換されれば、専用ツール等により販売店の整備士によってその電池モジュール１１１には、付与すべきユニークＩＤおよび車両情報Ｘが付与される。
【００４２】
一方、ステップＳ２２０で、照合の結果一致していると判定されれば、ステップＳ２４０で、監視ユニット１２０は、電池モジュール１１１（電池パック１１０）から電気機器への電力供給を許可し、電気機器が作動されるようにする。あるいは、電池パック１１０に対する充電要求がある場合であれば、監視ユニット１２０は、電池パック１１０に対する充電を許可する。
【００４３】
以上のように、本実施形態では、監視ユニット１２０は、それぞれの電池モジュール１１１を識別するためのユニークＩＤ（識別情報）を予め保有しており、複数の電池モジュール１１１が正規品として監視ユニット１２０に接続された初期段階に、監視ユニット１２０によって電池モジュール１１１との接続状態が確認され、ユニークＩＤがそれぞれの電池モジュール１１１に付与されるようにしているので、単体状態におけるそれぞれの電池モジュール１１１に対してユニークＩＤを予め持たせる必要がない。つまり、電池モジュール１１１については、単体状態においてユニークＩＤを持たない１種類の電池モジュール１１１を複数準備すれば良いことになる。よって、ユニークＩＤを予め各電池モジュール１１１に持たせる場合では、互いにユニークＩＤの異なる電池モジュール１１１を複数設定する必要が生じ、識別管理が極めて煩雑となるが、本実施形態ではそのような煩雑さを解消することができる。
【００４４】
そして、各電池モジュール１１１にユニークＩＤが付与された後に、監視ユニット１２０は予め保有しているユニークＩＤと各電池モジュール１１１に付与したユニークＩＤとを照合することによって、複数の電池モジュール１１１が正規品であるか否かを監視することが可能となる。
【００４５】
例えば、監視ユニット１２０は、予め保有するユニークＩＤと各電池モジュール１１１に付与したユニークＩＤとを照合して両者が一致すれば、その電池モジュール１１１は正規品であると判定できる。また、上記で説明したように初期段階以降に、仮に使用者によって少なくとも１つの電池モジュール１１１が交換された場合に、交換された電池モジュールは、監視ユニット１２０から付与されるユニークＩＤを持たないものとなるため、予め保有するユニークＩＤとの照合が不可能となり、監視ユニット１２０は交換された電池モジュールが正規品でないことを発見することができるのである。
【００４６】
また、監視ユニット１２０は、初期段階において、それぞれの電池モジュール１１１に対してユニークＩＤを、１つずつ順に付与するようにしているので、対象とする電池モジュール１１１と与えるべきユニークＩＤとを１対１で対応させることができ、各電池モジュール１１１に対する確実なユニークＩＤの付与が可能となる。
【００４７】
また、仮に、初期段階の後に、異なる車両間で少なくとも１つの電池モジュール１１１が交換された場合であると、交換された後のユニークＩＤが同一となる可能性もあり、電池モジュール１１１が交換されたにもかかわらず、正しい識別ができなくなる可能性がある。しかしながら、本実施形態では、各電池モジュール１１１に記憶させるユニークＩＤに併せて、車両情報Ｘも記憶させるようにしているので、上記のような異なる車両間での電池モジュール１１１の交換があったとしても、車両情報Ｘによって正しい識別が可能となる。
【００４８】
ここで、複数の電池モジュール１１１によって電気機器が作動される状況に無い場合、あるいは複数の電池モジュール１１１が充電される状況にない場合には、電池モジュール１１１自身の作動を伴わないことから、実用上は電池モジュール１１１が正規品か否かを監視する必要性は低いことになる。このことにより、本実施形態では、監視ユニット１２０は、複数の電池モジュール１１１によって走行用モータ等の電気機器が作動される場合、あるいは、複数の電池モジュール１１１が充電される場合に、複数の電池モジュール１１１に対する監視を行うようにしている。よって、必要最小限の監視にとどめて、実用上の不都合が発生しないようにすることができる。
【００４９】
また、監視ユニット１２０は、複数の電池モジュール１１１に対する監視を行うなかで、少なくとも１つの電池モジュール１１１が正規品でないと判定すると、電気機器に対する電力供給を禁止するようにしている。監視ユニット１２０によって少なくとも１つの電池モジュール１１１が正規品でないと判定されると、非正規品は、本来の正規品の品質を確保できない可能性があり、また、他の正規品への悪影響を及ぼす可能性があるため、電池モジュール１１１による電気機器への電力供給を禁止することで、電池モジュール１１１および電気機器の不具合の発生を防止することができる。
【００５０】
また、監視ユニット１２０は、複数の電池モジュール１１１に対する監視を行い、少なくとも１つの電池モジュール１１１が正規品でないと判定すると、使用者に対する警告を行うようにしている。これにより、使用者に対して、電池モジュール１１１が正規品でないことを即座に認識させることができ、正規品への交換を促すことができる。そして、例えば車両の販売店において、正規品への交換がなされ、交換された電池モジュール１１１に対して初期段階と同様に付与すべきユニークＩＤおよび車両情報Ｘが付与されれば、監視ユニット１２０による監視を再開することができ、再び信頼性ある電池モジュール１１１の使用が可能となる。
【００５１】
（その他の実施形態）
上記第１実施形態では、電池認証装置１００は、車両に搭載されて、例えば走行用モータの電力供給源に使用されるものとして説明したが、車両用に限らず、例えば、施設や住宅における電気機器を作動させるための施設用蓄電池に適用しても良い。
【００５２】
また、各電池モジュール１１１に対して、識別情報（ユニークＩＤ）に加えて、車両情報Ｘも併せて記憶させるようにしたが、車両情報Ｘは必要に応じて記憶させるようにしても良い。
【００５３】
また、監視ユニット１２０は、イグニッションスイッチが投入されたとき、あるいは電池パック１１０に対する充電要求が有った場合に、各電池モジュール１１１の監視を行うようにしたが、イグニッションスイッチが投入されたのち、常時、監視を行うようにしても良い。
【符号の説明】
【００５４】
１００  電池認証装置
１１０  電池パック
１１１  電池モジュール
１２０  監視ユニット（監視部）
【図１】
0005510262.tif 000002
【図２】
0005510262.tif 000003
【図３】
0005510262.tif 000004